(57)【要約】  マスク本体（１４）、フィルターカートリッジレセプタクル（１５）、及びフィルターカートリッジ（１２）を有するレスピレーター（１０）。フィルターカートリッジ（１２）は、レセプタクル（１５）に差し込むことが可能な側面（３０）を有する。フィルターカートリッジ（１５）は、マスク本体（１４）が装着されている状態でレセプタクル（１５）内の適正な位置に挿入することができる。使用者に実際の嵌合を視覚的に確認させることなく、固定を実現することが可能である。適正な嵌合が実現されたことが使用者に知らされるように、可聴のカチッという音又は他の指標を提供することができる。嵌合によりフィルターカートリッジ（１２）とマスク本体（１４）との間の間隔をほとんどなくすことができることにより、着用者の視界が向上し、本発明のレスピレーター（１０）の着用がより快適となる。【選択図】  図３
2014533553.tif 000002
【特許請求の範囲】
【請求項１】
（ａ）マスク本体と、
（ｂ）フィルターカートリッジレセプタクルと、
（ｃ）前記レセプタクルに差し込むことが可能な第１の側部を有するフィルターカートリッジと、を有するレスピレーター。
【請求項２】
前記レセプタクルを前記マスク本体に着脱可能に取り付けることが可能である、請求項１に記載のレスピレーター。
【請求項３】
前記レセプタクルが前記マスク本体と一体に形成されている、請求項１に記載のレスピレーター。
【請求項４】
前記フィルターカートリッジが前記レセプタクルに差し込まれると、可聴のカチッという音が聞こえる、請求項１に記載のレスピレーター。
【請求項５】
前記フィルターカートリッジと前記マスク本体との間の間隔が、前記カートリッジと前記マスク本体との間の最も近い距離において１ｃｍ未満である、請求項１に記載のレスピレーター。
【請求項６】
前記カートリッジと前記マスク本体との間の間隔が、その最も近い距離において０．５ｃｍ未満である、請求項５に記載のレスピレーター。
【請求項７】
前記カートリッジと前記マスク本体との間の間隔が、その最も近い距離において２ｍｍ未満である、請求項６に記載のレスピレーター。
【請求項８】
前記フィルターカートリッジが、前記マスク本体と面一となる第２の主面を有する、請求項１に記載のレスピレーター。
【請求項９】
前記マスク本体レセプタクルとの取り付けを行ううえで、滑り込ませること以外に前記フィルターカートリッジを回転又は操作する必要がない、請求項１に記載のレスピレーター。
【請求項１０】
使用者が取り外し機構を押すだけで前記フィルターカートリッジを取り外すことができる、請求項１に記載のレスピレーター。
【請求項１１】
前記取り外し機構が、ボタン、タブ、又はラッチを含む、請求項１０に記載のレスピレーター。
【請求項１２】
前記取り外し機構が、解除ボタンである、請求項１０に記載のレスピレーター。
【請求項１３】
前記レスピレーターが、前記カートリッジを前記レセプタクルに固定するための取り付け機構を有し、該取り付け機構がばね付勢されている、請求項１に記載のレスピレーター。
【請求項１４】
前記フィルターカートリッジが第１及び第２の主面を有し、該主面の一方又は両方が流体透過性であることによって、周囲空気が前記フィルターカートリッジに流入して濾過され、前記主面が一般的にそれぞれ６０〜９０ｃｍ２の表面積を有する、請求項１に記載のレスピレーター。
【請求項１５】
前記フィルターカートリッジが、前方から後方にかけて湾曲している、請求項１４に記載のレスピレーター。
【請求項１６】
前記フィルターカートリッジが、側面から側面にかけて湾曲している、請求項１５に記載のレスピレーター。
【請求項１７】
前記フィルターカートリッジが、前記フィルターカートリッジの前記側部の側面に配置された開口部を有し、該開口部が、前記フィルターカートリッジから前記レスピレーターの内部ガス空間内にきれいな空気が通過することを可能とする、請求項１に記載のレスピレーター。
【請求項１８】
前記開口部が、前記フィルターカートリッジのハウジングの前側壁上に配置されている、請求項１７に記載のレスピレーター。
【請求項１９】
前記レセプタクルが、前記レセプタクルを前記マスク本体に取り付けるための手段を有する、請求項２に記載のレスピレーター。
【請求項２０】
（ａ）レセプタクルが連結されたマスク本体を準備する工程と、
（ｂ）開口部とフィルターカートリッジの側部に配置された取り付け手段とを有するフィルターカートリッジを準備する工程であって、前記開口部が、前記フィルターカートリッジから、前記マスク本体によって少なくとも部分的に画定される内部ガス空間にきれいな空気が通過することを可能とする、工程と、
（ｃ）前記フィルターカートリッジを前記レセプタクルに差し込むことにより、前記取り付け手段が前記レセプタクル内の対応する部分と噛み合うことで、前記レセプタクルを介して前記フィルターカートリッジが前記マスク本体に固定される工程と、を含む、レスピレーターを製造する方法。
【発明の詳細な説明】
【技術分野】
【０００１】
本発明は、側面差し込み式のフィルターカートリッジを有するレスピレーターに関する。
【背景技術】
【０００２】
レスピレーターは一般的に、マスク本体及びマスク本体に取り付けられる１つ以上のフィルターカートリッジを有している。使用時には、着用者によって吸気時に発生させられる陰圧によりフィルターカートリッジから空気が引き込まれる。周囲空気は、濾材を通過してマスク本体内部に入り、そこで濾過された空気が着用者によって安全に吸入される。
【０００３】
レスピレーターの技術分野では、フィルターエレメントをレスピレーターに取り付けるために多くの方法が使用されてきた。一般的な方法の１つは、レスピレーターの本体の対応するねじ付き取り付け部に取り付けられるねじ付きカートリッジ内に配置されたフィルターエレメントを有する。例えば、米国特許第５，２２２，４８８号、同第５，０６３，９２６号、同第５，０３６，８４４号、同第５，０２２，９０１号、同第４，５４８，６２６号、及び同第４，４２２，８６１号を参照されたい。公知のフィルターカートリッジは、通常、フィルターカートリッジのねじ山が形成された部分を受容する、ねじ立てされたカラー又はソケットと嵌合するらせん状又は前進らせん状のねじ山を有している。適当な方向にフィルターカートリッジを回転させることにより、カートリッジをレスピレーターに取り付けるか又はレスピレーターから取り外すことができる。
【０００４】
ねじ山の代わりにバヨネット式の閉鎖機構を使用して、レスピレーターにフィルターカートリッジを取り付けることも行われている。これについては、例えば、米国特許第５，０６２，４２１号、同第４，９３４，３６１号、及び同第４，８５０，３４６号を参照されたい。’４２１号特許に開示されるバヨネット式の閉鎖機構は、構成部品を互いに固定するためのロックタブ及び切欠きを有している。’３６１号特許及び’３４６号特許では、フィルターカートリッジがレスピレーターのフェースピースに正しく装着されていることを示すために、可聴の仕組みが用いられている。フェースピース上の突起部には、カートリッジ上のリブを次第に反らすか又は変形させるように配置された戻り止め傾斜面、すなわち傾斜した表面を有するカムが設けられている。カートリッジとフェースピースとがロック位置へと互いに対して回転させられると、カムがリブと係合し、リブがカムの端部から突然落ちて可聴のカチっという音が生じるまでリブ及び突起部を反らせる。
【０００５】
回転運動を行うことなくフィルターカートリッジをマスク本体に対して手で押し付けることによって可聴の嵌め合いを生じるスナップイン嵌合が開発されている。これについては、ユスチャック（Yuschak）らに付与された米国再発行特許第ＲＥ  ３９，４９３号を参照されたい。カートリッジを手で反対方向に引っぱることにより、取り外しを行うことができる。
【０００６】
ねじ山、バヨネット、スナップ嵌め以外に、各種の他の連結機構が長年にわたって開発されてきた。米国特許第５，１４８，８０３号では例えば、フィルターをレスピレーターに締結するためにベローズを使用している。ベローズは、剛性のバンドとともに、フィルターを受容する剛性のカフを形成する。米国特許第５，０３３，４６５号及び同第５，０７８，１３２号は、フィルターエレメントを弾性フェースピースに固定するためのエッジシールの使用について開示している。米国特許第４，８５６，５０８号には、フィルターカートリッジを受容するための発泡材マスクシェルが開示されている。この発泡材マスクシェルは、フィルターカートリッジを受容するための開口部を画定するカラーを有している。米国特許第４，７９０，３０６号では、接着された吸収剤フィルターエレメントをレスピレーターのフェースピースに永久的に固定するためにインサート成形が用いられている。米国特許第４，７７１，７７１号には、フィルターカートリッジをレスピレーターのチャンバ内に固定するための差し込み式フレームについて述べられている。このフィルターカートリッジは、差し込み式フレームの開口部からフィルターカートリッジを滑り込ませることによってレスピレーターに取り付けることができる。米国特許第４，６３０，６０４号では、交換可能なフィルター部材をレスピレーターフレームと当接した関係に保持するため、フィルターリテーナー上にロック凸縁部が用いられている。このフィルター部材は、フィルター保持部材をフレームから折り取ることによって交換することができる。フィルターハウジングと嵌合させるためのガイドリングがレスピレーターに設けられた更なる方法が、米国特許第４，５６２，８３７号に開示されている。このガイドリングは、ガスが通過する開口部を画定するスリーブ部分によって保持される。フィルターハウジングは、格納されたスタンバイ位置から伸長した使用位置へとガイドリング上をスライドする。
【０００７】
上記に述べたレスピレーターは、フィルター及びフィルターカートリッジをレスピレーターに固定するために異なる方法を用いているが、これらの方法はいくつかの欠点を有している。例えば、レスピレーターにねじ込まれるフィルターカートリッジは一般的に、マスク本体にカートリッジを取り付けるために何回も回さなければならない。円筒状の幾何形状は一般的に、フィルターカートリッジを、着用者の視界の妨げとなり得る外部の付属装置として使用する必要を生じる。他の構成では、フィルターカートリッジは、回転運動をほとんど又はまったく行わずに取り付けることができるが、それでもこれらの装置はマスク本体の表面からある程度突出し得る。フィルターカートリッジがマスク本体から遠くに配置されるほどモーメントが大きくなり、したがって着用者の首により大きな重力トルクがかかる場合がある。公知のレスピレーターでは、取り付けは、一般的にフィルターカートリッジの内側の主面で行われるが、このことは、２個の部分の嵌合を可能とするために２個の部分が互いからある程度離間していることをしばしば必要とする。従来の設計の最後の欠点は、最新の魅力を示す際立った外観が往々にして欠けている点である。
【０００８】
用語集
以下に記載する用語は、以下に定義される意味を有する。
「活性粒子」とは、触媒作用及び／若しくはイオン交換などの化学的性質、並びに／又は捕捉、吸着、吸収、若しくはそれらの組み合わせなどの物理的性質を含むいくつかの特性又は性質に起因するいくつかの作用又は機能を行ううえで特に適した粒子又は顆粒を意味する。
「きれいな空気」とは、濾過によって汚染物質が除去された一定量の大気からなる周囲空気を意味する。
「外部ガス空間」とは、吐出されたガスが、マスク本体及び／又は呼気弁を通過した後に流入する、周囲大気からなるガス空間を意味する。
「フィルターカートリッジ」とは、内部ガス空間に空気が入る前に空気を濾過する目的で、レスピレーターのマスク本体に（着脱可能又は永久的に）取り付け可能である装置を意味する。
「フィルターカートリッジ容器レセプタクル」とは、フィルターカートリッジの一部を受容するようなサイズとされ、適合された装置を意味する。
「濾材」とは、それを通過する空気から汚染物質を除去するように設計された通気性の構造を意味する。
「ハウジング側壁」とは、この構造の側部の少なくとも一部分に配置される非通気性の表面を意味する。
「一体の」とは、同時に形成されるか、又は一体の部品の１つ以上を破損することなく分離することができないことを指す。
「内部ガス空間」とは、マスク本体と人の顔面との間の空間を意味する。
「主面」とは、装置上の最大の表面積を有する１つ又は２つの表面、通常は空気が通過してフィルターカートリッジに流入する表面のことを意味する。
「マスク本体」とは、少なくとも人の鼻及び口を覆ってぴったりと装着され、外部ガス空間から分離された内部ガス空間を画定する助けとなる構造を意味する。
「プレナム」とは、複数の空気流経路が収束するか若しくは別の空気流経路と合流する領域又は空間、あるいは複数の空気流経路がその領域又は空間から分岐する領域又は空間を意味する。
「複数」とは、２又はそれ以上を意味する。
「差し込まれた」とは、１つの部品を別の部品に手で滑り込ませる動作により、一方の部品が他方の部品と嵌合することを意味する。
「レスピレーター」とは、人間により着用されることにより人間の呼吸器系に空気が流入する前に空気を濾過する装置のことを意味する。
「固定された」とは、互いに連結されていることを意味する。
フィルターカートリッジに関連して「側面」又は「縁部」とは、フィルターカートリッジの主面間に全体又は一部が位置する表面又は表面の組み合わせを意味する。
「側部」とは、側面を有し、その側面に隣接した主面の１つ以上の部分を含み得る部分を意味する。
【発明の概要】
【課題を解決するための手段】
【０００９】
本発明は、フィルターカートリッジをマスク本体に取り付けるための独自のシステムを有する新規なレスピレーターを提供する。公知のレスピレーターと同様、本発明のレスピレーターは、マスク本体と、マスク本体に取り付けられるか又は取り付けることが可能な１つ以上のフィルターカートリッジとを有する。本発明は、更にフィルターカートリッジレセプタクル、及びレセプタクルに差し込むことが可能な第１の側部を有するフィルターカートリッジを有する点で公知のレスピレーターと異なっている。
【００１０】
本発明は、（ａ）レセプタクルが連結されたマスク本体を準備する工程と、（ｂ）カートリッジの側部に配置された取り付け手段を有するフィルターカートリッジを準備する工程と、（ｃ）フィルターカートリッジをレセプタクルに差し込むことにより、取り付け手段がレセプタクル内の対応する部分と噛み合うことで、レセプタクルを介してフィルターカートリッジがマスク本体に固定される工程と、を含む、レスピレーターを製造する新規な方法も提供する。
【００１１】
フィルターカートリッジをレセプタクルに滑り込ませることにより、可聴の「カチッ」という音又は他の指標を生じさせることができ、これにより、使用者に２個の部分が嵌合されたことが知らされる。
【００１２】
本発明は、マスク本体が着用者によって装着されている状態でカートリッジを適正な位置に挿入することができるという点で有用である。使用者に実際の嵌合を視覚的に確認させることなく、固定を実現することができる。レセプタクルと差し込み機能の使用により、使用者がカートリッジをマスク本体に固定することが比較的容易となる。カートリッジ端部の側部又は端部をレセプタクルに単に挿入し、カートリッジをレセプタクルの奥に向かって押し込む。カートリッジをレセプタクルと嵌合するように滑り込ませる。可聴のカチッという音又は他の指標によって、使用者に適切な嵌合が実現されたことが知らされる。更に、本発明は、カートリッジとマスク本体との間の間隔がほとんどない嵌合を可能とする。したがって、本発明のレスピレーターは、より快適に着用することができる。カートリッジがマスク本体から遠くに位置するほど、生じるモーメントが大きくなる。フィルターカートリッジを使用した従来のレスピレーターでは、着用者の首により大きなトルクがかかることにより、マスクが長時間にわたって着用される場合に着用者により大きな不快感をもたらす場合がある。本発明によれば、フェースシールド及び聴覚保護器などの他の個人用保護装置のマスク本体に更なるクリアランスのための空間を空けることもできる。本発明の最後の利点は、新規な取り付け方法が外観及び魅力において非常に際立っており、使用者に最高品質の従来にない設計のレスピレーターを着用しているという実感を与えるという点である。
【図面の簡単な説明】
【００１３】
【図１】本発明に基づく、レスピレーター１０の斜視図である。
【図２】本発明に基づく、組み立てられたフィルターカートリッジ１２とフィルターカートリッジレセプタクル１５の斜視図である。
【図３】本発明に基づく、分離されたフィルターカートリッジ１２とフィルターカートリッジレセプタクル１５の斜視図である。
【図４】本発明に基づく、フィルターカートリッジレセプタクル１５の取り付け機構の斜視図である。
【図５】本発明に基づく、フィルターカートリッジ１２とレセプタクル１５の第２の実施形態の後面斜視図である。
【図６】本発明に基づく、レセプタクル１５に挿入されているフィルターカートリッジ１２の第２の実施形態の前面斜視図である。
【図７】本発明に基づく、組み立てられたフィルターカートリッジ１２とフィルターカートリッジレセプタクル１５の第３の実施形態の正面斜視図である。
【図８】本発明に基づく、組み立てられたフィルターカートリッジ１２とフィルターカートリッジレセプタクル１５の第３の実施形態の後面斜視図である。
【図９】本発明に基づく、フィルターカートリッジレセプタクル１５から分離されたフィルターカートリッジ１２の第３の実施形態の後面斜視図である。
【図１０】本発明に基づく、フィルターカートリッジレセプタクル１５に取り付けられたフィルターカートリッジ１２の第４の実施形態の正面斜視図である。
【図１１】本発明に基づく、組み立てられフィルターカートリッジ１２とフィルターカートリッジレセプタクル１５の第４の実施形態の後面斜視図である。
【図１２】本発明に基づく、フィルターカートリッジレセプタクル１５から分離されたフィルターカートリッジ１２の第４の実施形態の後面斜視図である。
【図１３】本発明に基づく、フィルターカートリッジレセプタクル１５に取り付けられたフィルターカートリッジ１２の第５の実施形態の正面斜視図である。
【図１４】本発明に基づく、組み立てられたフィルターカートリッジ１２とフィルターカートリッジレセプタクル１５の第５の実施形態の後面斜視図である。
【図１５】本発明に基づく、フィルターカートリッジレセプタクル１５から分離されたフィルターカートリッジ１２の第５の実施形態の後面斜視図である。
【発明を実施するための形態】
【００１４】
本発明の実施においては、マスク本体と、フィルターカートリッジレセプタクルを介してマスク本体に取り付けられるか又は取り付けることが可能な１つ以上のフィルターカートリッジとを有するレスピレーターが提供される。フィルターカートリッジは、レセプタクルに差し込むことが可能な第１の側部を有する。フィルターカートリッジレセプタクル、及びレセプタクルを介してマスク本体に固定することが可能なフィルターカートリッジの提供により、マスク本体との取り付けを行うために回転又は様々な操作を必要としない新たなカートリッジの取り付け機構が可能となる。カートリッジは、レセプタクルに速やかに差し込んで使える状態とすることができる。更に、下記に詳細に述べるように、使用者が１個以上のボタンなどの取り外し機構を押すだけで、速やかな取り外しを実現することができる。
【００１５】
図１は、本発明に基づく特徴を有するレスピレーター１０の一例を示している。レスピレーター１０は、着用者の頭部に鼻と口を覆って装着される。レスピレーター１０は、マスク本体１４の両側に配置された１個以上のフィルター１２を有している。フィルターカートリッジ１２は、レセプタクル１５を介してマスク本体１４と脱着可能であっても、永久的に固定されてもよい。カートリッジ１２は、周囲空気がマスク本体１４の内部に配置された内部ガス空間内に入る前に周囲空気を濾過する。内部ガス空間に存在することになる空気は、着用者による吸入に適したきれいな空気である。マスク本体１４は、剛性のインサート１６及びエラストマー製の顔面接触部分１８を有し得る。このような構成を有するマスク本体は、フラニガン（Flannigan）らに付与された米国特許第７，６５０，８８４号、及びバーンズ（Burns）らに付与された米国特許第５，０６２，４２１号に述べられている。呼出された空気をマスク本体内部から速やかに排出するための呼気バルブ１９をマスク本体に配置することもできる。本発明のマスク本体における使用に適当であり得る呼気バルブの例としては、米国再発行特許第ＲＥ  ３７，９７４号、米国特許第６，５８４，９７４号、同第５，５０９，４３６号、同第５，３２５，８９２号、及び同第７，８４９，８５６Ｂ２号に開示されるバルブが挙げられる。レスピレーター１０は、レスピレーターが装着される際に着用者の頭部にマスク本体１４を支持するためのハーネス２０を更に有している。ハーネス２０は異なる形態をとり得るが、一般的には、着用者の頭部の後ろに通される１本以上のストラップ２２を有している。ストラップ２２同士は、１個以上のバックル２３によって互いに連結することができる。ハーネス２０は、例えば、ブロストローム（Brostrom）らに付与された米国特許第６，７３２，７３３Ｂ１号及び同第６，４５７，４７３号、ビラム（Byram）に付与された同第５，６９１，８３７号、及びセッパラ（Seppala）らに付与された同第５，２３７，９８６号に述べられるようなドロップダウン式のハーネスであってよい。マスク本体１４を着用者の頭部に支持する補助となる冠状部材を、必要に応じて使用することもできる。これについては、例えば、カスティグリオン（Castiglione）らに付与された米国特許出願公開第２０１１／０２２０１１５Ａ１号及びブロストローム（Brostrom）らに付与された米国特許第６，７３２，７３３号を参照されたい。マスク本体１４に固定されるフィルターカートリッジ１２は、第１及び第２の主面２６及び２８、並びにハウジング側壁３０を有している。ハウジング側壁３０は、少なくとも第１の主面２６から少なくとも第２の主面２８に延びている。ハウジング側壁３０は一般的に、その内部に配置される濾材の層の外周と接する。カートリッジハウジングの側部において、主面２６及び２８の一方又は両方が側面３０と接している。これらの表面２６及び２８は、周囲空気がフィルターカートリッジ１２に流入できるように流体透過性であってよい。主面２６及び２８は、一般的にはそれぞれ約３０〜２００平方センチメートル（ｃｍ２）、より一般的には約６０〜９０ｃｍ２の表面積を有する。レスピレーターは、各カートリッジとマス��本体との間、特に第２の主面２８とマスク本体１４との間に間隔がほとんど又はまったくないように構成することができる。最も近い距離では、カートリッジとマスク本体との間の間隔は、１センチメートル（ｃｍ）未満、０．５ｃｍ未満、更には２ミリメートル（ｍｍ）未満、又はマスク本体と面一とすることができる。図に示されるように、フィルターカートリッジ１２は、フィルターカートリッジレセプタクル１５によってマスク本体１４と連結される。
【００１６】
図２は、フィルターカートリッジレセプタクル１５と連結されたフィルターカートリッジ１２の正面図を示している。レセプタクル１５は、上面３２、前側面３４、並びに第１及び第２の互いに反対側の側面３６及び３８を有している。これらの側面及び表面の内側によって形成される内部区画は、フィルターカートリッジ１２の側部又は嵌合端４０（図３）よりもわずかに大きい断面積を有しているため、フィルターカートリッジ１２をレセプタクル１５内にしっかりと挿入することが可能である。したがって、マスク本体１４とフィルターカートリッジ１２との嵌合は、フィルターカートリッジのオス端部４０を、マスク本体１４に固定されたメスレセプタクル１５に挿入することによって実現することができる。
【００１７】
図に示されるように、フィルターカートリッジ１２は、前方から後方にかけて湾曲していてよい。カートリッジはまた、上部から下部にかけて、又は両方の方向において湾曲していてもよい。湾曲したフィルターカートリッジにより、着用者の視界を向上させることができる。本発明と組み合わせて使用するのに適した一般的な形状又は構成を有し得るフィルターカートリッジの一例が、ビリングスレイ（Billingsley）らに付与された、発明の名称が「圧延ベースのハウジング側壁を有するフィルターカートリッジの製造方法（Method of Making filter Cartridge Having Roll-based Housing Sidewall）」である米国特許出願第１２／７８４，１８２号に示されている。フィルターカートリッジにおいて使用することができるプレナムの一例が、アンガジバンド（Angadjivand）らに付与された米国特許出願第２００７／０１４４１２３号に開示されている。フィルターカートリッジには、粒子状及び／又はガス状の濾材の１つ以上の層を含み得る濾材が収容されている。粒子状濾材は、周囲空気中に浮遊する微粒子を除去するように構成され、ガス状濾材は、その中に浮遊している蒸気を除去するように構成されている。濾過層は様々な形状及び形態のものであってよく、一般的に約０．２ミリメートル（ｍｍ）〜１センチメートル（ｃｍ）の厚さを有し、概ね平面状のウェブとするか又は拡大された表面積を与えるように波形のものとすることができる。これについては、例えば、ブラウン（Braun）らに付与された米国特許第５，８０４，２９５号及び同第５，６５６，３６８号を参照されたい。濾過層はまた、接着剤又は他の任意の適当な手段により互いに接合された複数の濾過層を含んでもよい。濾過物質は、インスレイ（Insley）らに付与された米国特許第６，７５２，８８９号及び同第６，２８０，８２４号に述べられるような一連の平行な溝を有し得る。濾過層を形成するための公知の（又は後に開発される）基本的に任意の適当な物質を使用することができる。Ｗｅｎｔｅ，Ｖａｎ  Ａ．，Ｓｕｐｅｒｆｉｎｅ  Ｔｈｅｒｍｏｐｌａｓｔｉｃ  Ｆｉｂｅｒｓ，４８  Ｉｎｄｕｓ．Ｅｎｇｎ．Ｃｈｅｍ．，１３４２  ｅｔ  ｓｅｑ．（１９５６）に教示されるものなどのメルトブローン繊維のウェブが、特に持続的に荷電された（エレクトレット）形態のものである場合に特に有用である（例えば、キュビック（Kubik）らに付与された米国特許第４，２１５，６８２号を参照）。これらのメルトブローン繊維は、約２０マイクロメートル（μｍ）未満の有効繊維直径を有するマイクロファイバーであってもよい（「ブローンマイクロファイバー」のＢＭＦと呼ばれる）。有効な繊維直径は、Ｄａｖｉｅｓ，Ｃ．Ｎ．，Ｔｈｅ  Ｓｅｐａｒａｔｉｏｎ  Ｏｆ  Ａｉｒｂｏｒｎｅ  Ｄｕｓｔ  Ｐａｒｔｉｃｌｅｓ，Ｉｎｓｔｉｔｕｔｉｏｎ  Ｏｆ  Ｍｅｃｈａｎｉｃａｌ  Ｅｎｇｉｎｅｅｒｓ，Ｌｏｎｄｏｎ，Ｐｒｏｃｅｅｄｉｎｇｓ  １Ｂ，１９５２に従って決定することができる。ポリプロピレン、ポリ（４−メチル−１−ペンテン）及びこれらの組み合わせから形成される繊維を含有するＢＭＦウェブが広く使用されている。米国再発行特許第３１，２８５号（バン・ターンハウト（van Turnhout））に教示されるような荷電されたフィブリル化フィルム繊維、並びにロジンウール繊維質ウェブ及びグラスファイバーのウェブ、又は溶液ブローン若しくは静電スプレー繊維、特にマイクロフィルムの形態のものも適当であり得る。アイツマン（Eitzman）らに付与された米国特許第６，８２４，７１８号、アンガジバンド（Angadjivand）らに付与された同第６，７８３，５７４号、インスレイ（Insley）らに付与された同第６，７４３，４６４号、アイツマン（Eitzman）らに付与された同第６，４５４，９８６号及び同第６，４０６，６５７号、並びにアンガジバンド（Angadjivand）らに付与された同第６，３７５，８８６号及び同第５，４９６，５０７号に開示されるように、繊維を水と接触させることによって電荷を繊維に付与することができる。電荷はまた、クラッセ（Klasse）らに付与された米国特許第４，５８８，５３７号に開示されるようなコロナ帯電によるか、又はブラウン（Brown）に付与された同第４，７９８，８５０号に開示されるような摩擦帯電によって繊維に付与することもできる。また、ハイドロチャージングプロセスにより製造されるウェブの濾過性能を高めるために、繊維に添加剤を添加することができる（ルソー（Rousseau）らに付与された米国特許第５，９０８，５９８号を参照）。特に、フッ素原子を濾過層の繊維の表面に配置することにより、油性ミスト環境における濾過性能を向上させることができる。これについては、ジョーンズ（Jones）らに付与された米国特許第６，３９８，８４７Ｂ１号、同第６，３９７，４５８Ｂ１号、及び同第６，４０９，８０６Ｂ１号を参照されたい。エレクトレットＢＭＦ濾過層の一般的な坪量は、１平方メートル当たり約１０〜１００グラムである。活性微粒子の充填ベッド、及び、例えばＰＳＡ微小粒子と一体に保持された活性微粒子の透過性成形構造（センクス（Senkus）らに付与された米国特許第６，３９１，４２９号を参照）、又はブラウン（Braun）らに付与された米国特許第５，０３３，４６５号に述べられるような結合された吸着微粒子を使用することもできる。活性微粒子を含む繊維質濾材の一例が、タタルチャック（Tatarchuk）らに付与された米国特許第７，５０１，０１２Ｂ２号に示されている。本発明のフィルターに使用することができる活性微粒子には、反応、触媒作用、及びイオン交換などの化学変化特性、並びに／又は、大きな表面積、多孔度、並びに比較的小さなサイズ及び形状などの物理的特性を含むある特性又は性質に起因するある作用又は機能を行うのに適した粒子又は顆粒が含まれる。活性微粒子の一例として、流体中の成分と相互作用してこれを除去するか又は組成を変化させる粒子がある。流体中の成分は活性微粒子上、若しくは活性微粒子内に吸着されるか、又は反応することによってその組成の有害性を減らすことができる。したがって、活性微粒子は、吸着性、触媒性、又は反応性のものとすることができる。本発明と組み合わせて使用することが可能な活性微粒子材料の例としては、活性炭、化学的に表面処理された活性炭、アルミナ、シリカゲル、ベントナイト、カオリンケイソウ土、粉末状ゼオライト（天然及び合成）、イオン交換樹脂及びモレキュラーシーブなどの吸着性微粒子顆粒、触媒粒子及びカプセル化された化合物を含有した粒子などの微粒子が挙げられる。一般的な活性微粒子���しては、活性炭、化学処理された炭素、及びアルミナ微粒子が挙げられる。本発明において使用することが可能な市販の活性炭の例としては、Ｋｕｒａｒａｙ  １２×２０型ＧＧ（株式会社クラレ（大阪、日本）より販売されるもの）及びＣａｌｇｏｎ  １２×３０  ＵＲＣ（カルゴン・カーボン社（Calgon Carbon Corporation）（ペンシルベニア州ピッツバーグ）より販売されるもの）が挙げられる。本発明において使用することが可能な異なる種類の活性微粒子について述べた特許としては、ブレイ（Brey）らに付与された米国特許第７，３０９，５１３号、センクス（Senkus）らに付与された同第７，００４，９９０号及び同第６，３９１，４２９号、ブラウン（Braun）らに付与された同第５，７６３，０７８号、並びにアブラー（Abler）に付与された同第５，４９６，７８５号が挙げられる。濾過層を保護するために被覆ウェブを使用することもできる。被覆ウェブは、滑らかな外表面となるように処理後にウェブ表面から飛び出す繊維がほとんどないように構成することができる。本発明において使用することが可能な被覆ウェブの例は、例えばアンガジバンド（Angadjivand）に付与された米国特許第６，０４１，７８２号、ボストック（Bostock）らに付与された米国特許第６，１２３，０７７号、及びボストック（Bostock）らに付与された国際特許出願公開第９６／２８２１６Ａ号に開示されている。フィルターカートリッジは、カートリッジの使用寿命が過ぎた時点で使用者に知らせるために、カートリッジの側面に配置されたセンサーを有してもよい。これについては、ラコウ（Rakow）らに付与された米国特許出願第２００８／００６３５７５号を参照されたい。
【００１８】
図３は、フィルターカートリッジ１２のオス端部４０は、レセプタクル１５の格納可能な切欠き部４４（図４）と嵌合する１つ以上の開口部４２が配置されるように構成することができることを示している。使用時には、フィルターカートリッジ１２の第１及び第２の主面２６及び２８の少なくとも一方を通過した空気が、バヨネット嵌め機構４８の開口部４６と流体連通したプレナムに流入する。したがって、バヨネット嵌め機構４８は、流体連通と固定手段の両方に寄与し得る。側壁５０の導路４２は、カートリッジ内部に配置されたプリナムからレセプタクル１５に空気を通過させる。主面２８ではなく側面５０上に流出口４２が位置することで、フィルターカートリッジ表面１２上の有効濾過面積を増大させることができ、これにより、製品の性能が向上し得る。
【００１９】
図４は、レセプタクル１５が、格納可能な切欠き部４４をフィルターカートリッジ１２の第１の側面４０の開口部４２から取り外させる１個以上の手動応答ボタン５２を有し得ることを示している。ボタン５２が互いに向かって押し込まれると、切欠き部４４が同様に互いに向かって動くことで側壁５０の内表面から取り外され、これによりカートリッジ１２の第１の端部４０をレセプタクルの内部から手で引き抜くことができる。ボタン５２を含む、本発明において使用される取り外し機構には、しっかりとした固定が得られるようにばね付勢することができる。この図４に示されるように、レセプタクル１５は、バヨネット嵌め機構４８（図３）にではなく、レセプタクル３４の前側面３４に配置された流体出口開口部４６’を有することで、空気をマスク本体の内部に通過させることができる。
【００２０】
図５〜６は、フィルターカートリッジ１２をマスク本体１４に取り付けるための別の実施形態を示している。この実施形態では、レセプタクル１５はマスク本体１４と一体に形成されている。カートリッジ１２は、レセプタクル１５の内部に配置されたカートリッジ取り付け機構の解除可能なクリップと嵌合するループ５３を有している。フィルターカートリッジ１２を取り外すためには、解除ボタン５４を押して内部クリップをカートリッジループ５３から取り外すことができる。この実施形態では、きれいな空気は、フィルターカートリッジ１２の前側面３４の開口部４２から、レセプタクル１５の隣接開口部４６’を通り、更にマスク本体１４の内部ガス空間内に通過する。この実施形態では、開口部４２は開口部４６’と対向しており、レセプタクル１５をマスク本体に取り付けるためにバヨネット嵌め機構を使用していない。空気は、マスク本体内部に流入するためにバヨネット嵌め機構の開口部も通過しない。空気は開口部からレセプタクル内、更にマスク本体の内部ガス空間につながる通路に直接通過する。
【００２１】
図７〜１５は、本発明に基づいてフィルターカートリッジ１２をレセプタクル１５に取り付け、レセプタクル１５から取り外すための手段の別の実施形態を示している。図７〜９に示される実施形態では、レセプタクル１５は、フィルターカートリッジ１２をレセプタクル１５から取り外すために使用者が引っぱる可動タブ５５を含む取り付け機構を有している。タブ５５がレセプタクル１５の内側面５６（図８）から遠ざかる方向に引かれると、固定タブ５８が内側に引っ込んで、フィルターカートリッジ１２の挿入端部４０に配置された、突出したリップ６０（図９）から取り外される。図１０〜１２は、互いに向かって押すことで、突出したフランジ６４を、フィルターカートリッジ１２の第１の端部４０に配置されたそれぞれのリップ６６（図１２）から取り外すことができる、１個以上のタブ６２をレセプタクル１５の両側面に有する実施形態を示している。図１３〜１５は、フィルターカートリッジ／レセプタクル１２／１５嵌合機構が、レセプタクル１５上のラッチ６８を含む実施形態を示しており、ラッチ６８を開くことによって嵌合面７０を、フィルターカートリッジ１２の第１の端部４０に配置されたリップ７２から取り外すことができる。フィルターカートリッジ１２をレセプタクル１５に挿入すると、リップ７２により、リップ７２がラッチ７０の下を通過するまでラッチが外側に押される。カートリッジが所望の位置に配置されると、ラッチ７０がリップ７２に嵌まり、カートリッジ１２の第１の端部４０がレセプタクル１５内に固定される。他の実施形態と同様、この嵌合機構は、適切な嵌合いが得られたことを使用者に知らせるために、可聴のカチッという音を生じるようにばね付勢することができる。可聴のカチッという音に加えるか、又はその代わりに、適切な固定を示すための手段は、例えばフラッグ又はカラーマーカーなどの目に見える指標とすることもできる。
【実施例】
【００２２】
図５に示されるフィルターカートリッジに似た、ループと、レセプタクル、クリップ、及び解除ボタンを含む取り付け機構とを有するフィルターカートリッジを製造した。ループ、レセプタクル、クリップ、及びボタンは、ラピッドプロトタイプステレオリソグラフィーを用いて作製した。フィルターカートリッジには、ハウジング側壁の外形に一致した形状に切断した複数の濾材層を収容した。カートリッジは、周囲空気が濾材を通過した後、内部ガス空間に流入するために通過する第１及び第２の主面を有していた。濾材は、４層の粒子状濾材と、４層のガス状濾材とを含んでいた。各濾材層は、ホットメルト接着剤を用いて厚紙製のハウジング側壁に対して縁部に沿ってシールした。第１及び第２の主面はそれぞれ、６９ｃｍ２の露出表面積を有していた。ループ本体は、カートリッジの濾材内において、カートリッジ側面に配置された開口部から突出したループ構造によって挟み込んだ。クリップ及び解除ボタンをレセプタクル内で組み立てて、取り付け機構を構成した。レセプタクルをマスク本体に取り付けた。次いで、組み立てたレスピレーターを装着し、嵌合可能な側部をレセプタクルの奥に向かって滑り込ませることによってフィルターカートリッジをレセプタクル内に差し込んだ。嵌合状態では、フィルターカートリッジの第２の主面は、その最も近い間隔でマスク本体から０．５ｍｍの間隔を隔てていた。次いで解除ボタンを押すことにより、フィルターカートリッジをレセプタクルから取り外した。この操作を、異なる被験者によって行ったところ、本発明によって新規で、しっかりとした、便宜のよいフィルターの取り付け及び取り外しの方法が提供されることが示された。
【図１】
2014533553.tif 000003
【図２】
2014533553.tif 000004
【図３】
2014533553.tif 000005
【図４】
2014533553.tif 000006
【図５】
2014533553.tif 000007
【図６】
2014533553.tif 000008
【図７】
2014533553.tif 000009
【図８】
2014533553.tif 000010
【図９】
2014533553.tif 000011
【図１０】
2014533553.tif 000012
【図１１】
2014533553.tif 000013
【図１２】
2014533553.tif 000014
【図１３】
2014533553.tif 000015
【図１４】
2014533553.tif 000016
【図１５】
2014533553.tif 000017
【国際調査報告】
2014533553.tif 000018
2014533553.tif 000019